(57)【要約】【課題】  本発明は効率よく、切り粉を飛散させることなく壁板を切削して、ケーブル配線ボックス用穴を形成することができるケーブル配線ボックス用穴明け治具を得るにある。【解決手段】  手で持つことができる支持体と、この支持体の先端部に背面部位が固定されたケーブル配線ボックスの幅寸法とほぼ同じ幅寸法に形成された前面開口のカバーと、このカバーと前記支持体内に回転可能で、かつ軸心方向の移動ができるように取付けられた回転軸と、この回転軸の前記カバー内に位置する部位で、該カバーで覆われるように取付けられた回転切削刃と、前記回転軸を回転駆動および軸心方向に移動させることができる駆動装置と、前記カバーに取付けられた前記回転切削刃で壁板を切削する時の切り粉を吸引除去する切り粉吸引除去装置とでケーブル配線ボックス用穴明け治具を構成している。【選択図】  図４
2015116076.tif 000002
【特許請求の範囲】
【請求項１】
手で持つことができる支持体と、この支持体の先端部に背面部位が固定されたケーブル配線ボックスの幅寸法とほぼ同じ幅寸法に形成された前面開口のカバーと、このカバーと前記支持体内に回転可能で、かつ軸心方向の移動ができるように取付けられた回転軸と、この回転軸の前記カバー内に位置する部位で、該カバーで覆われるように取付けられた回転切削刃と、前記回転軸を回転駆動および軸心方向に移動させることができる駆動装置と、前記カバーに取付けられた前記回転切削刃で壁板を切削する時の切り粉を吸引除去する切り粉吸引除去装置とからなることを特徴とするケーブル配線ボックス用穴明け治具。
【請求項２】
カバーは該カバーの下部位置に回転切削刃で切削した部位の穴の下部位置に係止される出没可能な弧状の係止片が設けられるとともに、該係止片の内側位置の前記カバーの背面部位に形成された切り粉吸引除去装置の吸引パイプが着脱可能に取付けられる吸引パイプ取付口が設けられていることを特徴とする請求項１記載のケーブル配線ボックス用穴明け治具。
【請求項３】
回転軸に取付けられる回転切削刃は、該回転軸に着脱可能に取付けられる、該回転切削刃の先端部をカバーの前面開口より突出する深切り用台座を介して取付けられていることを特徴とする請求項１、２いずれかに記載のケーブル配線ボックス用穴明け治具。
【発明の詳細な説明】
【技術分野】
【０００１】
本発明は石膏ボード、強化石膏ボード等の壁板で覆われたケーブル配線ボックスの開口部が開口するように壁板にケーブル配線ボックス用穴を形成する場合に使用されるケーブル配線ボックス用穴明け治具に関する。
【背景技術】
【０００２】
従来、この種のケーブル配線ボックス用穴明け治具は、先端部にノコ刃状の切削刃を形成した円筒回転切削刃を回転させるものが使用されている。
【０００３】
しかしながら、円筒回転切削刃はすぐ目詰まりを起こし、厚い壁板では切削刃に詰まった切り粉を除去する作業を頻繁に行わなければならず、効率のよい穴明け作業ができないという欠点があるとともに、壁板が石膏ボードや強化石膏ボードの場合には、壁板の切削時に石膏が飛散して周囲を汚し、清掃が大変で、手数がかかるという欠点があった。
【先行技術文献】
【特許文献】
【０００４】
【特許文献１】特開平１０−２３０６３号公報
【特許文献２】特許第３７３２１０６号公報
【発明の概要】
【発明が解決しようとする課題】
【０００５】
本発明は以上のような従来の欠点に鑑み、効率よく、切り粉を飛散させることなく壁板を切削して、ケーブル配線ボックス用穴を形成することができるケーブル配線ボックス用穴明け治具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は手で持つことができる支持体と、この支持体の先端部に背面部位が固定されたケーブル配線ボックスの幅寸法とほぼ同じ幅寸法に形成された前面開口のカバーと、このカバーと前記支持体内に回転可能で、かつ軸心方向の移動ができるように取付けられた回転軸と、この回転軸の前記カバー内に位置する部位で、該カバーで覆われるように取付けられた回転切削刃と、前記回転軸を回転駆動および軸心方向に移動させることができる駆動装置と、前記カバーに取付けられた前記回転切削刃で壁板を切削する時の切り粉を吸引除去する切り粉吸引除去装置とでケーブル配線ボックス用穴明け治具を構成している。
【発明の効果】
【０００８】
以上の説明から明らかなように、本発明にあっては次に列挙する効果が得られる。
（１）請求項１により、カバーに取付けられた切り粉吸引除去装置によって、回転切削刃で切削された壁板の切り粉は、カバー内より切り粉吸引除去装置に吸引除去される。
したがって、従来のように切り粉がカバーにたまって、回転切削刃での切削作業が低下したり、切り粉の除去作業で効率よく切削作業ができない等の不具合を確実に防止できる。
（２）前記（１）により、回転切削刃で切削される壁板の切り粉は切り粉吸引除去装置に吸引除去されるので、切削作業中に切り粉がカバー外へ飛散したりするのを確実に防止して、きれいな状態で作業することができる。
また、切り粉が飛散しないので、石膏ボードを用いた壁体にケーブル配線ボックス用穴を明けた後の清掃作業が楽にできる。
（３）前記（１）により、カバーに切り粉吸引除去装置を取付けるので、回転切削刃で切削した切り粉は、カバー内より直接切り粉吸引除去装置に吸引除去されるため、切り粉の移動が短く、飛散や駆動部に悪影響を与えたりするのを効率よく阻止することができる。
（４）請求項２も前記（１）〜（３）と同様な効果が得られるとともに、カバー内の切り粉を効率よく切り粉吸引除去装置で吸引除去させることができ、かつ係止片によって、形成した穴の上部の壁板を切削することができる。
（５）請求項３も前記（１）〜（３）と同様な効果が得られるとともに、壁板が厚い場合に深切り用台座を介して回転切削刃を回転軸に取付けることにより、回転軸の軸心方向の移動量が同じでも、厚い壁板に深切り用台座のないもので切削を行ない、しかる後、この切削部分に深切り用台座を設けたもので切削することにより、ケーブル配線ボックス用穴を明けることができる。
【図面の簡単な説明】
【０００９】
【図１】本発明を実施するための第１の形態の正面図。
【図２】本発明を実施するための第１の形態の平面図。
【図３】本発明を実施するための第１の形態の左側面図。
【図４】本発明を実施するための第１の形態の一部破断面図。
【図５】図２の５−５線に沿う断面図。
【図６】本発明を実施するための第１の形態の移動調整機構の説明図。
【図７】本発明を実施するための第１の形態の移動調整機構の調整時の説明図。
【図８】本発明を実施するための第１の形態の回転切削刃の正面図。
【図９】本発明を実施するための第１の形態の回転切削刃の側面図。
【図１０】図９の１０−１０線に沿う断面図。
【図１１】本発明を実施するための第１の形態のカバーの正面図。
【図１２】本発明を実施するための第１の形態のカバーの平面図。
【図１３】本発明を実施するための第１の形態のカバーの側面図。
【図１４】図１２の１４−１４線に沿う断面図。
【図１５】本発明を実施するための第１の形態のケーブル配線ボックスを検出する状態の説明図。
【図１６】本発明を実施するための第１の形態の使用状態の説明図。
【図１７】本発明を実施するための第１の形態の係止片を使用した状態の説明図。
【図１８】本発明を実施するための第２の形態の正面図。
【図１９】本発明を実施するための第２の形態の平面図。
【図２０】図１９の２０−２０線に沿う断面図。
【図２１】本発明を実施するための第３の形態の正面図。
【図２２】本発明を実施するための第３の形態の平面図。
【図２３】本発明を実施するための第３の形態の開閉蓋を取付けた状態の説明図。
【発明を実施するための形態】
【００１０】
以下、図面に示す本発明を実施するための形態により、本発明を詳細に説明する。
図１ないし図１７に示す本発明を実施するための第１の形態において、１は本発明のケーブル配線ボックス用穴明け治具で、このケーブル配線ボックス用穴明け治具１は手で持つことができる支持体２と、この支持体２の先端部に背面板６ａ部位が複数本のビス３で固定されたケーブル配線ボックス４の幅寸法とほぼ同じ幅寸法に形成された前面開口５のカバー６と、このカバー６と前記支持体２内に回転可能で、かつ軸心方向の移動ができるように軸心方向の移動調整機構７を介して取付けられた回転軸８と、この回転軸８の前記カバー６内に位置する部位で、該カバー６で覆われるように取付けられた回転切削刃９と、前記回転軸８を回転駆動および軸心方向に移動させることができるように、後端部にチャック固定あるいはインパクト固定等の固定手段１０で取付けられる電動工具等の駆動装置１１と、前記カバー６の背面部位より前記回転切削刃９で壁板１２を切削する時の切り粉を吸引除去する切り粉吸引除去装置１３とで構成されている。
【００１１】
前記カバー６は前記回転軸８が挿入される回転軸挿入孔１４が形成され、複数個のビス３で前記支持体２の先端部に固定される背面板６ａを有するカバー本体１５と、このカバー本体１５の下部位置に形成された、上部が切り粉導入溝１６となる半円弧状の係止片収納凹部１７と、この係止片収納凹部１７内に出没可能にスプリング１８、１８で付勢された、前記回転切削刃９で切削された壁板１２に形成された穴１９の下部位置に係止される半円弧状の係止片２０と、前記カバー本体１５の係止片収納凹部１７の上部の切り粉導入溝１６と連通する背面板６ａに形成した、該カバー本体１５と外部とを連通する連通孔２１と、この連通孔２１と連通するように前記カバー本体１５の背面板６ａに固定された、前記切り粉吸引除去装置１３に吸引パイプ２２が着脱可能に取付けられる先端外周部に係止片２３を有する吸引パイプ取付口２４と、前記カバー本体１５の先端部の上下部に外方へ突出するように設けられた支持片２５、２６と、この支持片２５、２６および前記カバー本体１５の開口端部が壁板１２に密着状態で押し当てられるように取付けられたゴム等の当接片２７と、前記カバー本体１５の当接片２７側の上面に設けられた水平器２８とで構成されている。
【００１２】
前記回転軸８は前記支持体２の中央部を貫通するように設けられた筒部材の回転軸本体２９と、この回転軸本体２９内に固定された先端部が、該回転軸本体２９の先端部より前方へ突出するドリル３０と、前記回転軸本体２９を常時後方へ付勢する付勢スプリング３１と、前記カバー６内の後端部に位置する回転軸本体２９に取付けられた回転切削刃９を取付ける取付板３２と、前記回転軸本体２９を軸心方向に移動する量を調整する移動調整機構７とからなり、該移動整機構７は前記支持体２の後端部寄りの外周部に回動できるように取付けられた移動量調整ダイヤル３３と、この移動量調整ダイヤル３３と一体に回動する、前記回転軸本体２９の外周部の支持体２に形成した透孔３４内へ突出し、内壁３５ａにねじ部３５ｂが形成された調整筒３５と、この調整筒３５のねじ部３５ｂと螺合するねじ部３６ａが形成された、前記回転軸本体２９の外周部にスライド移動でき、かつ前記支持体２の透孔３４部に形成した軸心方向の長孔３７と係合する係止片３８を有する位置決め筒３６とで構成されている。
【００１３】
前記回転切削刃９は前記取付板３２に着脱可能に取付けられる中央部に回転軸本体挿入孔３９を有する円筒状のベース板４０と、このベース板４０より所定間隔で前方へ突出する多数個の切削刃支持片４１と、この多数個の切削刃支持片４１の先端部にそれぞれ固定された切削刃４２とで構成されている。
【００１４】
前記切り粉吸引除去装置１３はショルダベルト４３等で身体より吊り下げて持ち運ぶことができる小型の掃除機４４と、この掃除機４４の吸引口４４ａに取付けられた吸引パイプ２２と、この吸引パイプ２２の先端部に取付けられた前記吸引パイプ取付口２４に着脱可能に取付けられる取付具４５とで構成されている。
【００１５】
上記構成のケーブル配線ボックス用穴明け治具１は、回転軸８の後端部に固定手段１０でチャック固定あるいはインパクト固定によって電動工具等の駆動装置１１を取付けるとともに、カバー６の吸引パイプ取付口２４に切り粉吸引除去装置１３の吸引パイプ２２の取付具４５を取付ける。
【００１６】
また、壁板１２の厚さ分だけ切削できるように回転軸８が軸心方向に移動できるように移動調整機構７の移動調整ダイヤル３３を調整しておく。
しかる後、壁板１２に覆われたケーブル配線ボックス４を、本願発明者が商品化したケーブル配線ボックス検出センサー４６で検出し、壁板１２に筆記具でケガかれた部位にカバー６の先端部を押し付け、駆動装置１１を駆動させて回転軸８を壁板１２方向へ押し付けることにより、まず、最初に壁板１２にドリル３０の先端部が当接して壁板１２に穴を形成しながら侵入するため、回転切削刃９も壁板１２に当接して切削する。
この時、切り粉吸引除去装置１３を駆動させておくことにより、生ずる切り粉はカバー６の切り粉導入溝１６より吸引パイプ取付口２４、吸引パイプ２２を介して掃除機４４に吸引除去される。
【００１７】
このようにして壁板１２に穴１９が形成されると、次に形成された穴１９の下部位置にカバー６の係止片２０を支持させ、駆動装置１１を駆動させ、回転軸８を壁板１２方向に押し付けることにより、カーブル配線ボックス４の上部側にも前述と同様に穴を形成することで、ほぼ８の字状の穴１９ａが形成されるため、ケーブル配線ボックス４の内壁面に沿うようにカッタナイフやヤスリ等によって残りの壁板１２を除去する。
この場合には、カバー６の開口５をカッタナイフやヤスリ等の近傍に位置させて、切り粉吸引除去装置１３を駆動させて行なうことにより、切り粉の飛散を防止することができる。
【００１８】
[発明の異なる実施の形態]
次に、図１８ないし図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１８ないし図２０に示す本発明を実施するための第２の形態において、前記本発明を実施するための第１の形態と主に異なる点は、回転軸本体２９の取付板３２に着脱可能に取付けることができる深切り用台座４７を介して回転切削刃９を取付けるとともに、カバー本体１５に下方向に曲げた吸引パイプ取付口２４Aを設けた点で、このように構成したケーブル配線ボックス用穴明け治具１Ａにすることにより、一定の厚さの壁板１２にしかケーブル配線ボックス用穴が明けられないものであっても、深切り用台座４７を用いることにより、厚い壁板にもケーブル配線ボックス用穴を明けることができる。
【００２０】
すなわち、深切り用台座４７を用いない状態で厚い壁板１２に貫通しないケーブル配線ボックス用穴を形成した後、深切り用台座４７を介して回転切削刃９を取付けたもので、貫通していないケーブル配線ボックス用穴に回転切削刃９を挿入して切削作業を行なうことで、厚い壁板１２にケーブル配線ボックス用穴を形成することができる。
【００２１】
なお、効率よく厚い壁１２にケーブル配線ボックス用穴を形成する場合には、回転軸８に深切り用台座４７を用いないケーブル配線ボックス用穴明け治具１と深切り用台座４７を回転軸８に取付けたケーブル配線ボックス用穴明け治具１Ａを用いて行なうとよい。
【００２２】
また、深切り用台座を用いることなく、回転軸８の軸心方向の移動量を大きく設定するとよい。この場合、本発明の実施の形態では位置決め筒３６と長孔３７の軸心方向の長さを大きくすることによって可能となる。
【００２３】
図２１ないし図２３に示す本発明を実施するための第３の形態において、前記本発明を実施するための第１の形態と主に異なる点は、カバー６の吸引パイプ取付口２４を開閉することができる開閉蓋４８をカバー本体１５Ａに取付けた点で、このように構成したケーブル配線ボックス用穴明け治具１Ｂにしても、前記本発明を実施するための第１の形態と同様な作用効果が得られるとともに、切り粉吸引除去装置１３を取り外して持ち運ぶことができ、この時の吸引パイプ取付口２４を開閉蓋４８で閉じておくことができる。  
【産業上の利用可能性】
【００２４】
本発明は石膏ボード、強化石膏ボード等の壁板で覆われたケーブル配線ボックスの開口部を開口するために、壁板にケーブル配線ボックス用穴を形成するケーブル配線ボックス用穴明け治具を製造する産業で利用される。
【符号の説明】
【００２５】
１、１Ａ、１Ｂ：ケーブル配線ボックス用穴明け治具、
２：支持体、        ３：ビス、
４：ケーブル配線ボックス、  ５：開口、  
６：カバー、        ７：移動調整機構、
８：回転軸、        ９：回転切削刃、
１０：固定手段、      １１：駆動装置、
１２：壁板、        １３：切り粉吸引除去装置、
１４：回転軸挿入孔、    １５、１５Ａ：カバー本体、
１６：切り粉導入溝、    １７：係止片収納凹部、
１８：スプリング、      １９：穴、
２０：係止片、      ２１：連通孔、
２２：吸引パイプ、      ２３：係止片、
２４、２４Ａ：吸引パイプ取付口、
２５、２６：支持片、          ２７：当接片、
２８：水平器、                ２９：回転軸本体、
３０：ドリル、                ３１：付勢スプリング、
３２：取付板、                ３３：移動量調整ダイヤル、
３４：透孔、                  ３５：調整筒、
３６：位置決め筒、            ３７：長孔、
３８：係止片、                ３９：回転軸本体挿入孔、
４０：ベース板、              ４１：切削刃支持片、
４２：切削刃、                ４３：ショルダベルト、
４４：掃除機、                ４５：取付具、
４６：ケーブル配線ボックス検出センサー、
４７：深切り用台座、    ４８：開閉蓋。
【図１】
2015116076.tif 000003
【図２】
2015116076.tif 000004
【図３】
2015116076.tif 000005
【図４】
2015116076.tif 000006
【図５】
2015116076.tif 000007
【図６】
2015116076.tif 000008
【図７】
2015116076.tif 000009
【図８】
2015116076.tif 000010
【図９】
2015116076.tif 000011
【図１０】
2015116076.tif 000012
【図１１】
2015116076.tif 000013
【図１２】
2015116076.tif 000014
【図１３】
2015116076.tif 000015
【図１４】
2015116076.tif 000016
【図１５】
2015116076.tif 000017
【図１６】
2015116076.tif 000018
【図１７】
2015116076.tif 000019
【図１８】
2015116076.tif 000020
【図１９】
2015116076.tif 000021
【図２０】
2015116076.tif 000022
【図２１】
2015116076.tif 000023
【図２２】
2015116076.tif 000024
【図２３】
2015116076.tif 000025